(57)【要約】【課題】バッテリーポストに締結する際の作業性を向上することができるバッテリー端子を提供することを目的とする。【解決手段】バッテリー端子１は、バッテリーポスト５１が挿入される環状部２４ａ、２５ａと、連結部２６ａ、環状部保持部２６ｂ、及び、締結部材支持部２６ｃを有する保持部材２６と、締結部材支持部２６ｃに支持される第１締結部材２７と、第１締結部材２７と螺合すると共に環状部２４ａ、２５ａの環状部保持部２６ｂによって保持された端部とは反対側の端部に当接する第１テーパ面２８ａが形成された第２締結部材２８と、第２締結部材２８の回転を規制する回転止め部２９とを備え、第１テーパ面２８ａは、第１締結部材２７の回転に伴って当該第２締結部材２８が第１締結部材２７側に接近した際に、締付力を環状部幅方向の押圧力に変換する。【選択図】図２
2015133308.tif 000002
【特許請求の範囲】
【請求項１】
バッテリーポストが挿入されるポスト挿入孔、及び、当該ポスト挿入孔と連続するスリットが形成された環状部と、
前記バッテリーポストの中心軸線に沿った軸方向と交差する方向であって前記スリットを横断する方向である環状部幅方向における前記環状部の一方側に設けられ前記環状部を保持する環状部保持部、前記環状部幅方向における前記環状部の他方側に設けられる締結部材支持部、及び、前記環状部幅方向に沿って前記環状部保持部と前記締結部材支持部とを連結する連結部を有する保持部材と、
前記軸方向に沿った所定の位置で前記締結部材支持部に前記軸方向周りに回転可能に支持される第１締結部材と、
前記軸方向に対して前記締結部材支持部を挟んで前記第１締結部材と対向し当該第１締結部材と螺合すると共に、前記環状部の前記環状部幅方向の端部であって前記環状部保持部によって保持された端部とは反対側の端部に当接する第１テーパ面が形成された第２締結部材と、
前記第２締結部材の前記軸方向周りの回転を規制する回転止め部とを備え、
前記第１テーパ面は、前記第２締結部材が前記回転止め部によって回転が規制された状態で、前記軸方向周りの前記第１締結部材の回転に伴って当該第２締結部材が前記軸方向に沿って前記第１締結部材側に接近した際に、前記第１締結部材と前記第２締結部材との間に発生する締付力を、前記環状部を前記環状部幅方向の前記環状部保持部側に押圧する押圧力に変換する方向に傾斜を有することを特徴とする、
バッテリー端子。
【請求項２】
前記保持部材は、前記軸方向に対して前記環状部を挟んで当該連結部と対向すると共に、前記環状部保持部を介して前記連結部と連続する対向受け部を有し、
前記回転止め部は、前記環状部幅方向における前記対向受け部の前記締結部材支持部側の端部側に前記軸方向に貫通して形成され、前記第２締結部材を収容して当該第２締結部材の前記軸方向周りの回転を規制する貫通孔を含んで構成され、
前記締結部材支持部は、前記環状部幅方向に沿って形成され前記第１締結部材、又は、前記第２締結部材の軸部が前記軸方向に沿って挿入される長孔を含んで構成され、
前記第２締結部材は、前記環状部幅方向に対して前記第１テーパ面の背面側に設けられ、前記貫通孔の縁部に当接する第２テーパ面が形成され、
前記第２テーパ面は、前記第２締結部材が前記回転止め部によって回転が規制された状態で、前記軸方向周りの前記第１締結部材の回転に伴って当該第２締結部材が前記軸方向に沿って前記第１締結部材側に接近した際に、前記第１締結部材と前記第２締結部材との間に発生する締付力を、前記貫通孔の縁部を介して前記保持部材の前記環状部保持部を前記環状部幅方向の前記第２締結部材側に引き付ける引付力に変換する方向に傾斜を有する、
請求項１に記載のバッテリー端子。
【請求項３】
前記回転止め部は、前記締結部材支持部に設けられ、前記第２締結部材と当接して当該第２締結部材の前記軸方向周りの回転を規制する当接突起部を有し、
前記締結部材支持部は、前記第１締結部材、又は、前記第２締結部材の軸部が前記軸方向に沿って挿入される丸孔を含んで構成される、
請求項１に記載のバッテリー端子。
【請求項４】
前記当接突起部と連接され前記第２締結部材を挟んで前記締結部材支持部とは反対側で当該第２締結部材と対向する押え部を備える、
請求項３に記載のバッテリー端子。
【請求項５】
前記回転止め部は、前記第１テーパ面と接触する前記環状部の端部によって兼用され、
前記締結部材支持部は、前記第１締結部材、又は、前記第２締結部材の軸部が前記軸方向に沿って挿入される丸孔を含んで構成される、
請求項１に記載のバッテリー端子。
【請求項６】
前記環状部、又は、前記連結部の一方に形成される突起爪部と、前記環状部、又は、前記連結部の他方に形成される切り欠き部とを有し、前記突起爪部と前記切り欠き部とが係合することで、前記環状部に対して前記保持部材を位置決めする位置決め機構を備える、
請求項１乃至請求項５のいずれか１項に記載のバッテリー端子。
【請求項７】
前記バッテリーポストは、バッテリー筐体の上面に形成された凹部の底面に立設され、
前記第１締結部材は、前記バッテリーポストが前記ポスト挿入孔に挿入され、かつ、前記締結部材支持部に支持された状態で、少なくとも一部が前記軸方向に沿って前記上面から突出した位置に支持される、
請求項１乃至請求項６のいずれか１項に記載のバッテリー端子。
【発明の詳細な説明】
【技術分野】
【０００１】
本発明は、バッテリー端子に関する。
【背景技術】
【０００２】
従来、車両等に搭載されたバッテリーに立設されたバッテリーポストに取り付けるためのバッテリー端子が知られている。従来のバッテリー端子として、例えば、特許文献１には、孔部にバッテリーポストを挿入した状態で締結させることにより、バッテリーポストに取り付けることができるバッテリー端子の構成が開示されている。
【先行技術文献】
【特許文献】
【０００３】
【特許文献１】特開２０１０−３５８３号公報
【発明の概要】
【発明が解決しようとする課題】
【０００４】
ところで、このようなバッテリー端子は、例えば、バッテリーの設置スペースの関係上、バッテリーポストに締結するためのボルトを鉛直方向上側からレンチ等の工具によって水平方向に沿って回転させて締め付けていく場合がある。このような場合、当該バッテリー端子は、例えば、ボルトを締め付けていく際に当該ボルトの螺合作用によりボルト位置が変化することでボルトの締め付け作業がしにくくなり、バッテリーポストに締結する際の作業性が低下するおそれがある。
【０００５】
本発明は、上記の事情に鑑みてなされたものであって、バッテリーポストに締結する際の作業性を向上することができるバッテリー端子を提供することを目的とする。
【課題を解決するための手段】
【０００６】
上記目的を達成するために、本発明に係るバッテリー端子は、バッテリーポストが挿入されるポスト挿入孔、及び、当該ポスト挿入孔と連続するスリットが形成された環状部と、前記バッテリーポストの中心軸線に沿った軸方向と交差する方向であって前記スリットを横断する方向である環状部幅方向における前記環状部の一方側に設けられ前記環状部を保持する環状部保持部、前記環状部幅方向における前記環状部の他方側に設けられる締結部材支持部、及び、前記環状部幅方向に沿って前記環状部保持部と前記締結部材支持部とを連結する連結部を有する保持部材と、前記軸方向に沿った所定の位置で前記締結部材支持部に前記軸方向周りに回転可能に支持される第１締結部材と、前記軸方向に対して前記締結部材支持部を挟んで前記第１締結部材と対向し当該第１締結部材と螺合すると共に、前記環状部の前記環状部幅方向の端部であって前記環状部保持部によって保持された端部とは反対側の端部に当接する第１テーパ面が形成された第２締結部材と、前記第２締結部材の前記軸方向周りの回転を規制する回転止め部とを備え、前記第１テーパ面は、前記第２締結部材が前記回転止め部によって回転が規制された状態で、前記軸方向周りの前記第１締結部材の回転に伴って当該第２締結部材が前記軸方向に沿って前記第１締結部材側に接近した際に、前記第１締結部材と前記第２締結部材との間に発生する締付力を、前記環状部を前記環状部幅方向の前記環状部保持部側に押圧する押圧力に変換する方向に傾斜を有することを特徴とする。
【０００７】
また、上記バッテリー端子では、前記保持部材は、前記軸方向に対して前記環状部を挟んで当該連結部と対向すると共に、前記環状部保持部を介して前記連結部と連続する対向受け部を有し、前記回転止め部は、前記環状部幅方向における前記対向受け部の前記締結部材支持部側の端部側に前記軸方向に貫通して形成され、前記第２締結部材を収容して当該第２締結部材の前記軸方向周りの回転を規制する貫通孔を含んで構成され、前記締結部材支持部は、前記環状部幅方向に沿って形成され前記第１締結部材、又は、前記第２締結部材の軸部が前記軸方向に沿って挿入される長孔を含んで構成され、前記第２締結部材は、前記環状部幅方向に対して前記第１テーパ面の背面側に設けられ、前記貫通孔の縁部に当接する第２テーパ面が形成され、前記第２テーパ面は、前記第２締結部材が前記回転止め部によって回転が規制された状態で、前記軸方向周りの前記第１締結部材の回転に伴って当該第２締結部材が前記軸方向に沿って前記第１締結部材側に接近した際に、前記第１締結部材と前記第２締結部材との間に発生する締付力を、前記貫通孔の縁部を介して前記保持部材の前記環状部保持部を前記環状部幅方向の前記第２締結部材側に引き付ける引付力に変換する方向に傾斜を有するものとすることができる。
【０００８】
また、上記バッテリー端子では、前記回転止め部は、前記締結部材支持部に設けられ、前記第２締結部材と当接して当該第２締結部材の前記軸方向周りの回転を規制する当接突起部を有し、前記締結部材支持部は、前記第１締結部材、又は、前記第２締結部材の軸部が前記軸方向に沿って挿入される丸孔を含んで構成されるものとすることができる。
【０００９】
また、上記バッテリー端子では、前記当接突起部と連接され前記第２締結部材を挟んで前記締結部材支持部とは反対側で当該第２締結部材と対向する押え部を備えるものとすることができる。
【００１０】
また、上記バッテリー端子では、前記回転止め部は、前記第１テーパ面と接触する前記環状部の端部によって兼用され、前記締結部材支持部は、前記第１締結部材、又は、前記第２締結部材の軸部が前記軸方向に沿って挿入される丸孔を含んで構成されるものとすることができる。
【００１１】
また、上記バッテリー端子では、前記環状部、又は、前記連結部の一方に形成される突起爪部と、前記環状部、又は、前記連結部の他方に形成される切り欠き部とを有し、前記突起爪部と前記切り欠き部とが係合することで、前記環状部に対して前記保持部材を位置決めする位置決め機構を備えるものとすることができる。
【００１２】
また、上記バッテリー端子では、前記バッテリーポストは、バッテリー筐体の上面に形成された凹部の底面に立設され、前記第１締結部材は、前記バッテリーポストが前記ポスト挿入孔に挿入され、かつ、前記締結部材支持部に支持された状態で、少なくとも一部が前記軸方向に沿って前記上面から突出した位置に支持されるものとすることができる。
【発明の効果】
【００１３】
本発明に係るバッテリー端子は、第１締結部材と第２締結部材と回転止め部と第１テーパ面との作用によって、第１締結部材と第２締結部材との間に発生する締付力を、環状部を環状部幅方向に押圧する押圧力に変換することで、当該環状部をバッテリーポストに締結することができる。このとき、バッテリー端子は、第１締結部材を軸方向上側から締め付ける構成とした上で、当該第１締結部材を締め付けていく際に当該第１締結部材の軸方向の相対位置が変化しないようにすることができるので、当該第１締結部材の締め付け作業を行いやすい位置関係を維持することができる。この結果、このバッテリー端子は、バッテリーポストに締結する際の作業性を向上することができる、という効果を奏する。
【図面の簡単な説明】
【００１４】
【図１】図１は、実施形態１に係るバッテリー端子の概略構成を表す斜視図である。
【図２】図２は、実施形態１に係るバッテリー端子の概略構成を表す斜視図である。
【図３】図３は、実施形態１に係るバッテリー端子の概略構成を表す平面図である。
【図４】図４は、図３中のＬ１矢視図である。
【図５】図５は、図３中のＬ２矢視図である。
【図６】図６は、図３中のＬ２矢視図である。
【図７】図７は、実施形態２に係るバッテリー端子の概略構成を表す斜視図である。
【図８】図８は、実施形態２に係るバッテリー端子の概略構成を表す斜視図である。
【図９】図９は、実施形態２に係るバッテリー端子の概略構成を表す平面図である。
【図１０】図１０は、図９中のＬ３矢視図である。
【図１１】図１１は、図９中のＬ４矢視図である。
【図１２】図１２は、図９中のＬ４矢視図である。
【図１３】図１３は、変形例に係るバッテリー端子の概略構成を表す斜視図である。
【図１４】図１４は、図１３中のＬ５矢視図である。
【図１５】図１５は、実施形態３に係るバッテリー端子の概略構成を表す斜視図である。
【図１６】図１６は、実施形態３に係るバッテリー端子の概略構成を表す平面図である。
【図１７】図１７は、図１６中のＬ６矢視図である。
【図１８】図１８は、図１６中のＬ７矢視図である。
【発明を実施するための形態】
【００１５】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１６】
［実施形態１］
図１、図２は、実施形態１に係るバッテリー端子の概略構成を表す斜視図である。図３は、実施形態１に係るバッテリー端子の概略構成を表す平面図である。図４は、図３中のＬ１矢視図である。図５、図６は、図３中のＬ２矢視図である。なお、図１、図３、図４は、バッテリー端子に加えてバッテリーの一部を含む図となっている。図６は、バッテリー端子の動作を説明する図である。
【００１７】
図１〜図６に示す本実施形態に係るバッテリー端子１は、バッテリー５０のバッテリーポスト５１に組み付けられるものである。バッテリー端子１は、バッテリーポスト５１に取り付けられることにより、バッテリー５０と、このバッテリー５０が搭載される車両等の本体側の電線の末端に設けられた金具等とを電気的に接続するための部品である。
【００１８】
なお、以下の説明では、バッテリーポスト５１の中心軸線Ｘに沿った方向を軸方向という。またここでは、以下の説明を分かり易くするために、便宜的に当該軸方向と直交する２方向のうち一方を長辺方向（第１の幅方向）、他方を短辺方向（第２の幅方向）という。これら軸方向、長辺方向、及び、短辺方向は互いに直交する。
【００１９】
ここで、このバッテリー端子１が適用されるバッテリー５０は、例えば、車両等に蓄電装置として搭載されるものである。バッテリー５０は、図１等に示すように、バッテリー液や当該バッテリー５０を構成する種々の部品を収容するバッテリー筐体５２、当該バッテリー筐体５２に設けられた上述のバッテリーポスト５１等を含んで構成される。バッテリー筐体５２は、いずれか１つの面が開放された略矩形箱状の筐体本体５３と、上記開放された面を閉塞させる蓋部材５４とを含んで構成され、全体として略直方体形状に形成される。ここでは、バッテリー筐体５２は、長辺方向に沿った方向が長辺、短辺方向に沿った方向が短辺となるがこれに限らない。バッテリーポスト５１は、鉛等により構成され、蓋部材５４のポスト立設面５５に立設される。ポスト立設面５５は、バッテリー筐体５２においてバッテリーポスト５１が立設される面である。ここでは、当該ポスト立設面５５は、例えば、バッテリー５０が車両等に搭載された状態で、蓋部材５４の鉛直方向上側の上面である。バッテリーポスト５１は、略円柱形状であり、中心軸線Ｘがポスト立設面５５と直交するような位置関係で当該ポスト立設面５５上に突出するようにして立設される。より詳細には、本実施形態のバッテリーポスト５１は、ポスト立設面５５の角位置近傍に形成された凹部５６内に立設される。当該凹部５６は、ポスト立設面５５の角位置近傍において略矩形状に陥没した部分である。つまり、バッテリーポスト５１は、バッテリー筐体５２の上面であるポスト立設面５５に形成された凹部５６の底面に立設されている。バッテリーポスト５１は、典型的には、軸方向の先端側に進むにつれて径が小さくなるようテーパが付けられている。つまり、バッテリーポスト５１は、先端の外径が基端の外径より小さいテーパ形状となる。なお、以下の説明では、バッテリー５０が車両等に搭載された状態で、バッテリーポスト５１の軸方向が鉛直方向に沿った方向となり、上述の長辺方向、短辺方向が水平方向に沿った方向となる場合を説明する。バッテリー端子１は、上記のように構成されるバッテリーポスト５１に締結される。
【００２０】
本実施形態のバッテリー端子１は、バッテリーポスト５１に締結する場合に、締結部材（後述の締結ボルト２７）を鉛直方向上側から締め付けていく形式の端子である。そして、本実施形態のバッテリー端子１は、軸方向に沿った方向に発生する締結部材による締付力を、軸方向と交差する環状部幅方向の押圧力に変換し、当該押圧力によってバッテリー端子１においてバッテリーポスト５１が挿入される部分を押圧することで、バッテリーポスト５１に締結されるものである。このとき、本実施形態のバッテリー端子１は、締結部材を締め付けていく際に当該締結部材の位置が変化することを抑制する構成とすることで、締結部材の締め付け作業がしにくくなることを抑制し、バッテリーポスト５１に締結する際の作業性の向上を図ったものである。
【００２１】
具体的には、本実施形態のバッテリー端子１は、本体部２１と、スタッドボルト２２と、締付部２３とを備える。なお、以下の説明では、バッテリー端子１がバッテリーポスト５１に取り付けられた状態で軸方向、長辺方向、短辺方向となる方向を、それぞれ単に「軸方向」、「長辺方向」、「短辺方向」という場合がある。
【００２２】
本実施形態の本体部２１は、上側分割体２４と下側分割体２５との２層分割構造となっている。ここでは、本体部２１は、バッテリー端子１がバッテリーポスト５１に取り付けられた状態で、上側分割体２４が鉛直方向上側、下側分割体２５が鉛直方向下側となって軸方向（鉛直方向）に対向し積層された状態となる。上側分割体２４と下側分割体２５との積層方向は、バッテリー端子１がバッテリーポスト５１に取り付けられた状態で、バッテリーポスト５１の軸方向に沿った方向であり、ここでは後述のスタッドボルト２２の軸部２２ａが突出する側を積層方向上側、反対側を積層方向下側とする。また、積層方向上側とは、バッテリーポスト５１の先端側に相当し、積層方向下側とは、バッテリーポスト５１の基端側に相当する。つまり、本体部２１は、上側分割体２４が積層方向上側、下側分割体２５が積層方向下側となる。
【００２３】
上側分割体２４、下側分割体２５は、例えば、導電性を有する金属板のプレス折り曲げ加工により、それぞれ、環状部２４ａ、２５ａ、ボルト保持部２４ｂ、２５ｂ等が一体で形成される。本実施形態の本体部２１は、上側分割体２４と下側分割体２５との分割構造とすることで、例えば、より小型なプレス機によって簡易に製造することができる。
【００２４】
一対の環状部２４ａ、２５ａは、略円環形状に形成され、それぞれバッテリーポスト５１が挿入される略円形状のポスト挿入孔２４ｃ、２５ｃ、及び、ポスト挿入孔２４ｃ、２５ｃと連続するスリット（間隙）２４ｄ、２５ｄ（図３、図５等参照）が形成される。
【００２５】
ポスト挿入孔２４ｃとポスト挿入孔２５ｃとは、上側分割体２４と下側分割体２５とが上下に積層されてバッテリーポスト５１に取り付けられた状態で、積層方向に対向する位置関係となるように、それぞれ環状部２４ａ、２５ａに形成される。ポスト挿入孔２４ｃ、ポスト挿入孔２５ｃは、板金が同一の方向、ここでは下側に折り返されることでそれぞれ内周壁面が形成される。ポスト挿入孔２４ｃ、ポスト挿入孔２５ｃは、それぞれの内周壁面に上述したバッテリーポスト５１のテーパに対応したテーパを有している。ここでは、ポスト挿入孔２４ｃとポスト挿入孔２５ｃとのうち後述するスタッドボルト２２の軸部２２ａが突出する側、すなわち、ポスト挿入孔２４ｃ側の内径が最小となり、反対側のポスト挿入孔２５ｃ側の内径が最大となる。ポスト挿入孔２４ｃ、ポスト挿入孔２５ｃは、バッテリーポスト５１が挿入された状態で、各内周面がバッテリーポスト５１と接触する。
【００２６】
スリット２４ｄとスリット２５ｄとは、上側分割体２４と下側分割体２５とが上下に積層されてバッテリーポスト５１に取り付けられた状態で、積層方向に対向する位置関係となるように、それぞれ環状部２４ａ、２５ａに形成される。ここでは、スリット２４ｄ、２５ｄは、ポスト挿入孔２４ｃ、２５ｃから環状部２４ａ、２５ａの一部を分断するように形成される。また、環状部２４ａ、２５ａは、スリット２４ｄ、２５ｄが形成されている側の端部に、後述の締付部２３によって保持されて締め付けられる板状突出部２４ｅ、２５ｅ（図３、図４、図５等）を有している。板状突出部２４ｅは、当該環状部２４ａにおいてポスト挿入孔２４ｃが形成されている部分と段付部等を介さずに連続するようにして一体で形成される。一方、板状突出部２５ｅは、当該環状部２５ａにおいてポスト挿入孔２５ｃが形成されている部分と段付部２５ｆ（図４、図５等参照）等を介して連続するようにして一体で形成される。スリット２４ｄは、ポスト挿入孔２４ｃから板状突出部２４ｅを貫通している。スリット２５ｄは、ポスト挿入孔２５ｃから、段付部２５ｆ、板状突出部２５ｅを貫通している。
【００２７】
一対のボルト保持部２４ｂ、２５ｂは、略矩形状に形成される。ボルト保持部２４ｂは、環状部２４ａのスリット２４ｄが形成される側、すなわち、板状突出部２４ｅが形成された側とは反対側に段付部２４ｆ（図４等参照）等を介して連続するようにして一体で形成される。ボルト保持部２５ｂは、環状部２５ａのスリット２５ｄが形成される側、すなわち、板状突出部２５ｅが形成された側とは反対側に段付部等を介さずに連続するようにして一体で形成される。ボルト保持部２４ｂは、スタッドボルト２２が挿入される略円形状のボルト挿入孔２４ｇ（図１、図２等参照）が形成される。ボルト保持部２５ｂは、上側分割体２４と下側分割体２５とを組み付ける際にスタッドボルト２２がスライドするスライド孔２５ｇ（図１、図２等参照）が形成される。
【００２８】
ここで、ボルト保持部２４ｂ、２５ｂが保持するスタッドボルト２２は、ボルト保持部２４ｂとボルト保持部２５ｂとの間に保持された状態で、スライド孔２５ｇ、及び、ボルト挿入孔２４ｇから軸部２２ａが突出するようにして露出する。スタッドボルト２２は、ボルト挿入孔２４ｇから露出した当該軸部２２ａに電線の末端に設けられた金具等が電気的に接続される。ボルト保持部２４ｂ、２５ｂは、スタッドボルト２２の軸部２２ａが立設される矩形板状の台座部分を保持できるように所定の折り返し部が形成されている。
【００２９】
本体部２１は、組み立ての際には、まず、矩形板状の台座部分に軸部２２ａが立設されたスタッドボルト２２が上側分割体２４に組み付けられる。このとき、スタッドボルト２２は、ボルト挿入孔２４ｇに軸部２２ａが挿入され、当該軸部２２ａが当該ボルト挿入孔２４ｇから露出した状態で、かつ、矩形板状の台座部分がボルト保持部２４ｂの折り返し部内に保持された状態となる。そして、下側分割体２５は、上側分割体２４のボルト保持部２４ｂにスタッドボルト２２が保持された状態で、ボルト保持部２４ｂの段付部２４ｆ側から、スライド孔２５ｇが形成されたボルト保持部２５ｂの板状部分が、ボルト保持部２４ｂのボルト挿入孔２４ｇが形成されている面とスタッドボルト２２の台座部分との間に挿入されるようにして、上側分割体２４に組み付けられる。このとき、スタッドボルト２２の軸部２２ａは、ボルト保持部２５ｂに形成されたスライド孔２５ｇ内をスライドしていく。そして、本体部２１は、上側分割体２４の環状部２４ａ、及び、ボルト保持部２４ｂと下側分割体２５の環状部２５ａ、及び、ボルト保持部２５ｂとが上下に対向するような位置関係で積層された状態となる。本体部２１は、このように上側分割体２４と下側分割体２５とが積層された状態で、ボルト保持部２４ｂとボルト保持部２５ｂとによってスタッドボルト２２が保持される。そして、本体部２１は、ボルト保持部２４ｂとボルト保持部２５ｂとによってスタッドボルト２２が保持された状態で、上側分割体２４の板状突出部２４ｅと下側分割体２５の板状突出部２５ｅとが積層方向に対向して接触し、当該板状突出部２４ｅ、板状突出部２５ｅが後述の締付部２３の保持部材２６によって保持され、一体化される。
【００３０】
なお、この本体部２１は、上側分割体２４側の環状部２４ａの板状突出部２４ｅに後述の位置決め機構３０を構成する突起爪部２４ｈ（図２、図５等参照）が形成されている。突起爪部２４ｈは、板状突出部２４ｅの先端が鉛直方向（軸方向）上側に屈曲することで形成される。
【００３１】
また、本実施形態の本体部２１は、上側分割体２４と下側分割体２５との分割構造としているが、これに限らず、例えば、屈曲連結部等を介して上側分割体２４と下側分割体２５とが一体で形成され、曲げ加工されるものであってもよい。この場合、一対のボルト保持部２４ｂ、２５ｂは、例えば、折り曲げ加工の前に事前にボルト挿入孔２４ｇにスタッドボルト２２が挿入された状態で折り曲げ加工されることで、屈曲連結部を介して上下に積層された状態で当該スタッドボルト２２を保持する。
【００３２】
締付部２３は、ポスト挿入孔２４ｃ、ポスト挿入孔２５ｃ内にバッテリーポスト５１が挿入された状態で、一対の環状部２４ａ、２５ａを当該バッテリーポスト５１に締結するものである。本実施形態の締付部２３は、保持部材２６と、第１締結部材としての締結ボルト２７と、第２締結部材としてのテーパナット２８と、回転止め部２９とを備える。
【００３３】
保持部材２６は、上述したように、本体部２１の板状突出部２４ｅ、板状突出部２５ｅを保持することで、上側分割体２４と下側分割体２５とを一体化すると共に、締結ボルト２７を軸方向に沿った所定の位置で支持するものである。保持部材２６は、連結部２６ａ、環状部保持部２６ｂ、締結部材支持部２６ｃを有する。連結部２６ａは、環状部幅方向に沿って環状部２４ａ、２５ａの一方の端部から他方の端部まで設けられる板状の部材である。ここで、環状部幅方向とは、バッテリーポスト５１の中心軸線Ｘに沿った軸方向と直交（交差）する方向であって環状部２４ａ、２５ａに形成されたスリット２４ｄ、２５ｄを横断する方向である。環状部幅方向は、典型的には、環状部２４ａ、２５ａをバッテリーポスト５１に締結する際に環状部２４ａ、２５ａを締め付ける方向（締め付け方向）に沿った方向に相当する。本実施形態の環状部幅方向は、バッテリー端子１がバッテリーポスト５１に取り付けられた状態で、長辺方向に沿った方向となっている。連結部２６ａは、軸方向に対して板状突出部２４ｅの板状突出部２５ｅとは反対側、すなわち、鉛直方向（軸方向）上側に位置する。環状部保持部２６ｂは、連結部２６ａの環状部幅方向の一方の端部側に設けられ、環状部２４ａ、２５ａを保持する部分である。環状部保持部２６ｂは、連結部２６ａの環状部幅方向の一方の端部が延長され、板状突出部２５ｅ側、すなわち、鉛直方向（軸方向）下側にＵ字型に折り返されることで形成される。環状部保持部２６ｂは、軸方向に対して、Ｕ字型の空間部に環状部２４ａ、２５ａの板状突出部２４ｅ、２５ｅを挟み込んで保持することで、当該環状部２４ａ、２５ａを一体化して保持する。締結部材支持部２６ｃは、連結部２６ａの環状部幅方向の他方の端部側に設けられる。締結部材支持部２６ｃは、連結部２６ａの環状部保持部２６ｂ側とは反対側の端部が延長されることで形成される。締結部材支持部２６ｃは、締結ボルト２７を軸方向に沿った所定の位置で支持する部分である。本実施形態の締結部材支持部２６ｃは、連結部２６ａの環状部保持部２６ｂ側とは反対側の端部が延長された部分に形成された長孔２６ｄ（図３、図５等参照）を含んで構成される。長孔２６ｄは、締結部材支持部２６ｃ（連結部２６ａの環状部保持部２６ｂ側とは反対側の端部が延長された部分）を軸方向に貫通すると共に環状部幅方向に沿って形成される。長孔２６ｄは、後述の締結ボルト（第１締結部材）２７、又は、テーパナット（第２締結部材）２８、ここでは、締結ボルト２７の軸部２７ａが軸方向に沿って挿入される。言い換えれば、保持部材２６は、環状部保持部２６ｂが環状部幅方向における環状部２４ａ、２５ａの一方側に設けられ、締結部材支持部２６ｃが環状部幅方向における環状部２４ａ、２５ａの他方側に設けられ、連結部２６ａが環状部幅方向に沿って環状部保持部２６ｂと締結部材支持部２６ｃとを連結することで形成される。
【００３４】
また、本実施形態の保持部材２６は、さらに、対向受け部２６ｅを有している。対向受け部２６ｅは、軸方向に対して環状部２４ａ、２５ａの板状突出部２４ｅ、２５ｅを挟んで当該連結部２６ａと対向すると共に、環状部保持部２６ｂを介して連結部２６ａと連続する。対向受け部２６ｅは、環状部幅方向に沿って環状部２４ａ、２５ａの一方の端部から他方の端部まで設けられる板状の部材である。つまり、対向受け部２６ｅは、軸方向に対して連結部２６ａと対向すると共に、環状部幅方向に沿って環状部保持部２６ｂから締結部材支持部２６ｃ近傍まで延在する。保持部材２６は、連結部２６ａ、環状部保持部２６ｂ、締結部材支持部２６ｃ、及び、対向受け部２６ｅが一体となって、軸方向、及び、環状部幅方向と直交する方向から視て、全体として略Ｕ字型に形成される（図５等参照）。保持部材２６は、略Ｕ字型の内側に板状突出部２４ｅ、板状突出部２５ｅが挿入されるようにして環状部２４ａ、２５ａに組み付けられる。
【００３５】
締結ボルト２７は、螺合溝が形成された軸部２７ａと、軸部２７ａの一端部に一体形成される頭部２７ｂとを有する。軸部２７ａは、後述のテーパナット２８と螺合する部分である。頭部２７ｂは、締結ボルト２７を軸部２７ａ周りに回転させるためにレンチ等の工具によって把持される部分である。締結ボルト２７は、軸方向に沿った所定の位置で、締結部材支持部２６ｃに軸方向周りに回転可能に支持される。締結ボルト２７は、上述のように、軸部２７ａが締結部材支持部２６ｃの長孔２６ｄに軸方向に沿って挿入される。締結ボルト２７の軸部２７ａは、軸方向に沿って上側から長孔２６ｄに挿入される。本実施形態の締結ボルト２７は、図４等に示すように、バッテリーポスト５１がポスト挿入孔２４ｃ、２５ｃに挿入され、かつ、締結部材支持部２６ｃに支持された状態で、少なくとも一部が軸方向に沿ってバッテリー筐体５２の上面（ポスト立設面５５）から突出した位置に支持される。ここでは、締結ボルト２７は、頭部２７ｂがバッテリー筐体５２の上面から突出量Ｄだけ突出している。
【００３６】
テーパナット２８は、軸方向に対して締結部材支持部２６ｃを挟んで締結ボルト２７の頭部２７ｂと対向し当該締結ボルト２７と螺合するものである。テーパナット２８は、矩形筒状に形成され、内周面に締結ボルト２７の軸部２７ａに形成された螺合溝と螺合する螺合溝が形成される。そして、テーパナット２８は、環状部２４ａ、２５ａの環状部幅方向の端部であって環状部保持部２６ｂによって保持された端部とは反対側の端部に当接する第１テーパ面２８ａ（図５等参照）が形成される。つまり、第１テーパ面２８ａは、テーパナット２８において、環状部２４ａ、２５ａの環状部幅方向の端部であって締結部材支持部２６ｃや締結ボルト２７等が設けられる側の端部と、環状部幅方向に対向する面に形成される。本実施形態の第１テーパ面２８ａは、環状部２４ａ、２５ａの一部、ここでは、環状部２５ａの板状突出部２５ｅに当接可能な位置に形成される。また、テーパナット２８は、環状部幅方向に対して第１テーパ面２８ａの背面側に第２テーパ面２８ｂ（図５等参照）が設けられる。なお、当該第１テーパ面２８ａ、及び、当該第２テーパ面２８ｂのテーパ形状については後で詳細に説明する。
【００３７】
回転止め部２９は、テーパナット２８の軸方向周りの回転を規制するものである。本実施形態の回転止め部２９は、保持部材２６に形成される貫通孔２６ｆ（図２、図５等参照）を含んで構成される。貫通孔２６ｆは、環状部幅方向における対向受け部２６ｅの締結部材支持部２６ｃ側の端部側に軸方向に貫通して形成される。貫通孔２６ｆは、矩形状に形成される。貫通孔２６ｆは、軸方向に対して締結部材支持部２６ｃの長孔２６ｄとほぼ対向する位置に形成される。回転止め部２９は、テーパナット２８を貫通孔２６ｆ内に収容して当該テーパナット２８の軸方向周りの回転を規制する。上述の第２テーパ面２８ｂは、テーパナット２８が貫通孔２６ｆ内に収容された状態で、当該貫通孔２６ｆの縁部に当接する。第２テーパ面２８ｂは、貫通孔２６ｆの縁部であって環状部幅方向に対して環状部２４ａ、２５ａ側とは反対側の縁部に当接する。
【００３８】
そして、本実施形態の第１テーパ面２８ａは、テーパナット２８が回転止め部２９によって回転が規制された状態で、軸方向周りの締結ボルト２７の回転に伴って当該テーパナット２８が軸方向に沿って締結ボルト２７側に接近した際に、締結ボルト２７とテーパナット２８との間に発生する締付力を、環状部２４ａ、２５ａを環状部幅方向の環状部保持部２６ｂ側に押圧する押圧力に変換する方向に傾斜を有する。ここでは、第１テーパ面２８ａは、軸方向に沿って締結ボルト２７の頭部２７ｂ側から離間するにしたがってテーパナット２８の環状部幅方向の幅が徐々に広がるような傾斜を有している。これにより、第１テーパ面２８ａは、締結ボルト２７の回転に伴ってテーパナット２８が締結ボルト２７側に接近した際に、締結ボルト２７とテーパナット２８との間に発生する締付力を、環状部２４ａ、２５ａを環状部保持部２６ｂ側に押圧する押圧力に変換することができる。
【００３９】
また、本実施形態の第２テーパ面２８ｂは、テーパナット２８が回転止め部２９によって回転が規制された状態で、軸方向周りの締結ボルト２７の回転に伴って当該テーパナット２８が軸方向に沿って締結ボルト２７側に接近した際に、締結ボルト２７とテーパナット２８との間に発生する締付力を、貫通孔２６ｆの縁部を介して保持部材２６の環状部保持部２６ｂを環状部幅方向のテーパナット２８側に引き付ける引付力に変換する方向に傾斜を有する。ここでは、第２テーパ面２８ｂは、軸方向に沿って締結ボルト２７の頭部２７ｂ側から離間するにしたがってテーパナット２８の環状部幅方向の幅が徐々に広がるような傾斜を有している。これにより、第２テーパ面２８ｂは、締結ボルト２７の回転に伴ってテーパナット２８が締結ボルト２７側に接近した際に、締結ボルト２７とテーパナット２８との間に発生する締付力を、環状部保持部２６ｂをテーパナット２８側に引き付ける引付力に変換することができる。
【００４０】
つまり、本実施形態のテーパナット２８は、図５等に示すように、軸方向、及び、環状部幅方向と直交する方向から視て、第１テーパ面２８ａと第２テーパ面２８ｂとによって、軸方向に沿って締結ボルト２７の頭部２７ｂ側から離間するにしたがって環状部幅方向の幅が徐々に広がるような台形状に形成される。
【００４１】
また、本実施形態のバッテリー端子１は、さらに、位置決め機構３０を備えている。位置決め機構３０は、環状部２４ａ、２５ａ、又は、連結部２６ａの一方、ここでは環状部２４ａの板状突出部２４ｅに形成される突起爪部２４ｈと、環状部２４ａ、２５ａ、又は、連結部２６ａの他方、ここでは、連結部２６ａに形成される切り欠き部２６ｇとを有する。突起爪部２４ｈは、上述したように、板状突出部２４ｅの先端が鉛直方向（軸方向）上側に屈曲することで形成される。突起爪部２４ｈは、スリット２４ｄで分割された一対の板状突出部２４ｅにそれぞれ１つずつ、合計２つが設けられる。切り欠き部２６ｇは、連結部２６ａの環状部幅方向に沿った辺であって板状突出部２４ｅの先端側の辺に凹部状の切り欠きとして形成される。そして、位置決め機構３０は、保持部材２６が環状部２４ａ、２５ａに組み付けられた状態で、突起爪部２４ｈと切り欠き部２６ｇとが係合することで、環状部２４ａ、２５ａに対して保持部材２６を所定の位置で位置決めすることができる。
【００４２】
上記のように構成されるバッテリー端子１は、保持部材２６が板状突出部２４ｅ、板状突出部２５ｅに組み付けられることで、本体部２１の上側分割体２４と下側分割体２５とが一体化される。そして、バッテリー端子１は、この状態で、締結ボルト２７が保持部材２６の締結部材支持部２６ｃの長孔２６ｄに挿入され所定の位置に支持されると共に、テーパナット２８が回転止め部２９の貫通孔２６ｆ内に収容された状態で締結ボルト２７の軸部２７ａに螺合される。そして、バッテリー端子１は、上記のように上側分割体２４と下側分割体２５とが保持部材２６によって一体化された状態で、スタッドボルト２２の軸部２２ａが露出するような位置関係でポスト挿入孔２４ｃ、ポスト挿入孔２５ｃにバッテリーポスト５１が挿入されることで、バッテリーポスト５１に組み付けられる。そして、バッテリー端子１は、ポスト挿入孔２４ｃ、ポスト挿入孔２５ｃの内周面とバッテリーポスト５１の外周面とが接触した状態で、締結ボルト２７が鉛直方向（軸方向）上側から締め付けられることで、スリット２４ｄ、２５ｄを挟んで環状部２４ａ、２５ａの両側が接近方向に締め付けられ、これにより、バッテリーポスト５１に締結される。
【００４３】
より詳細には、バッテリー端子１は、図６に示すように、回転止め部２９によってテーパナット２８の回転が規制された状態で、締結ボルト２７の頭部２７ｂが工具等によって軸方向（軸部２７ａ）周りに回転されることで、締結ボルト２７の軸方向の位置はそのままで、テーパナット２８が軸方向に沿って締結ボルト２７の頭部２７ｂ側に接近してくる。バッテリー端子１は、締結ボルト２７の回転に伴ってテーパナット２８が締結ボルト２７の頭部２７ｂ側に接近してくると、テーパナット２８に形成された第１テーパ面２８ａが環状部２４ａ、２５ａの環状部幅方向の端部であって環状部保持部２６ｂによって保持された端部とは反対側の端部に当接する。ここでは、第１テーパ面２８ａは、環状部２５ａの板状突出部２５ｅに当接する。また、バッテリー端子１は、締結ボルト２７の回転に伴ってテーパナット２８が締結ボルト２７の頭部２７ｂ側に接近してくると、テーパナット２８に形成された第２テーパ面２８ｂが貫通孔２６ｆの縁部に当接する。ここでは、第２テーパ面２８ｂは、貫通孔２６ｆの縁部であって環状部幅方向に対して環状部２４ａ、２５ａ側とは反対側の縁部に当接する。
【００４４】
そして、バッテリー端子１は、締結ボルト２７の回転に伴ってテーパナット２８が締結ボルト２７の頭部２７ｂ側にさらに接近してくると、締結ボルト２７とテーパナット２８との間に発生する締付力が、第１テーパ面２８ａによって、環状部２４ａ、２５ａを環状部幅方向の環状部保持部２６ｂ側に押圧する押圧力に変換される。これにより、バッテリー端子１は、当該第１テーパ面２８ａによる押圧力によって環状部２４ａ、２５ａが環状部幅方向の環状部保持部２６ｂ側に押圧される。このとき、環状部保持部２６ｂは、当該第１テーパ面２８ａによる押圧力の反力を受ける反力部材として機能する。この結果、バッテリー端子１は、第１テーパ面２８ａによる押圧力によって、環状部２４ａの板状突出部２４ｅと共に環状部２５ａの板状突出部２５ｅが環状部保持部２６ｂ側に押圧されることでスリット２４ｄ、２５ｄの間隔が狭まる。
【００４５】
またこのとき、バッテリー端子１は、締結ボルト２７の回転に伴ってテーパナット２８が締結ボルト２７の頭部２７ｂ側にさらに接近してくると、締結ボルト２７とテーパナット２８との間に発生する締付力が、第２テーパ面２８ｂによって、貫通孔２６ｆの縁部を介して保持部材２６の環状部保持部２６ｂを環状部幅方向のテーパナット２８側に引き付ける引付力に変換される。これにより、バッテリー端子１は、当該第２テーパ面２８ｂによる引付力によって環状部保持部２６ｂが環状部幅方向の環状部２４ａ、２５ａが側に引き付けられる。このとき、保持部材２６と締結ボルト２７とは、環状部幅方向に沿って相対移動するが、締結ボルト２７が当該保持部材２６に形成された長孔２６ｄに挿入されているので、この環状部幅方向に沿った相対移動が妨げられることはない。この結果、バッテリー端子１は、第２テーパ面２８ｂによる引付力によっても、環状部２４ａ、２５ａの板状突出部２４ｅ、２５ｅに形成されたスリット２４ｄ、２５ｄの間隔が狭まる。
【００４６】
したがって、バッテリー端子１は、締結ボルト２７の回転に伴って第１テーパ面２８ａによる押圧力、及び、第２テーパ面２８ｂによる引付力によって、スリット２４ｄ、２５ｄの間隔が狭められることで、ポスト挿入孔２４ｃ、ポスト挿入孔２５ｃの内周面とバッテリーポスト５１の外周面とが接触した状態でポスト挿入孔２４ｃ、ポスト挿入孔２５ｃの径が縮小され、バッテリーポスト５１に締結される。そして、バッテリー端子１は、スタッドボルト２２の軸部２２ａに電線の末端に設けられた金具等が電気的に接続される。
【００４７】
このとき、バッテリー端子１は、位置決め機構３０を構成する突起爪部２４ｈと切り欠き部２６ｇとが係合して環状部２４ａ、２５ａに対して保持部材２６を確実に位置決めしているので、回転止め部２９によってテーパナット２８の回転が規制された状態で、締結ボルト２７の回転に伴って、保持部材２６が位置ズレすることを抑制することができる。
【００４８】
以上のように、このバッテリー端子１は、バッテリーポスト５１に締結される際に、締結ボルト２７の回転に伴ってテーパナット２８が締結ボルト２７側に接近する一方、締結ボルト２７自体は軸方向の位置が固定されたまま変化しない。この結果、このバッテリー端子１は、締結ボルト２７を軸方向上側から締め付ける構成とした上で、当該締結ボルト２７を締め付けていく際に当該締結ボルト２７の軸方向の相対位置が変化しないようにすることができる。したがって、このバッテリー端子１は、バッテリーポスト５１に締結する際に、軸方向上側から締結ボルト２７を締め付けていっても当該締結ボルト２７の締め付け高さの変化が抑制されるので、当該締結ボルト２７の締め付け作業を行いやすい位置関係を維持することができ、バッテリーポスト５１に締結する際の作業性を向上することができる。
【００４９】
ここでは、締結ボルト２７は、図４で説明したように、締め付け作業が行われる状態で、少なくとも頭部２７ｂを含む一部が軸方向に沿ってバッテリー筐体５２の上面（ポスト立設面５５）から突出した位置に支持され、締め付けが行われてもこの位置が維持される。この結果、このバッテリー端子１は、少なくとも締結ボルト２７の頭部２７ｂを含む一部が軸方向に沿ってバッテリー筐体５２の上面から突出した状態で、締結ボルト２７の締め付け作業を完結することができる。
【００５０】
一方、バッテリー端子１は、締結ボルト２７が逆回転に回転されることで、第１テーパ面２８ａによる押圧力、及び、第２テーパ面２８ｂによる引付力が弱まり、スリット２４ｄ、２５ｄの間隔が広がり、ポスト挿入孔２４ｃ、ポスト挿入孔２５ｃの径が拡大され、バッテリーポスト５１から取り外し可能な状態となる。
【００５１】
以上で説明したバッテリー端子１によれば、ポスト挿入孔２４ｃ、２５ｃ、スリット２４ｄ、２５ｄが形成された環状部２４ａ、２５ａと、連結部２６ａ、環状部保持部２６ｂ、締結部材支持部２６ｃを有する保持部材２６と、軸方向に沿った所定の位置で締結部材支持部２６ｃに支持される締結ボルト２７と、第１テーパ面２８ａが形成されたテーパナット２８と、テーパナット２８の回転を規制する回転止め部２９とを備える。したがって、バッテリー端子１は、締結ボルト２７とテーパナット２８と回転止め部２９と第１テーパ面２８ａとの作用によって、締結ボルト２７とテーパナット２８との間に発生する締付力を、環状部２４ａ、２５ａを環状部幅方向に押圧する押圧力に変換することで、当該環状部２４ａ、２５ａをバッテリーポスト５１に締結することができる。このとき、バッテリー端子１は、締結ボルト２７を軸方向上側から締め付ける構成とした上で、当該締結ボルト２７を締め付けていく際に当該締結ボルト２７の軸方向の相対位置が変化しないようにすることができるので、当該締結ボルト２７の締め付け作業を行いやすい位置関係を維持することができ、バッテリーポスト５１に締結する際の作業性を向上することができる。
【００５２】
さらに、以上で説明したバッテリー端子１によれば、保持部材２６は、対向受け部２６ｅを有し、回転止め部２９は、対向受け部２６ｅを貫通して形成される貫通孔２６ｆを含んで構成され、締結部材支持部２６ｃは、締結ボルト２７が挿入される長孔２６ｄを含んで構成され、テーパナット２８は、第１テーパ面２８ａの背面側に第２テーパ面２８ｂが形成される。したがって、バッテリー端子１は、締結ボルト２７の回転に伴って第１テーパ面２８ａによる押圧力に加えて、第２テーパ面２８ｂによる引付力によっても環状部２４ａ、２５ａをバッテリーポスト５１に締め付けることができるので、例えば、第２テーパ面２８ｂを備えない場合と比較して、締結ボルト２７の締め込み量を減らすことができる。
【００５３】
さらに、以上で説明したバッテリー端子１によれば、突起爪部２４ｈと切り欠き部２６ｇとを有する位置決め機構３０を備える。したがって、バッテリー端子１は、位置決め機構３０を構成する突起爪部２４ｈと切り欠き部２６ｇとが係合することで、締結ボルト２７の回転に伴った保持部材２６の位置ズレを抑制することができる。
【００５４】
さらに、以上で説明したバッテリー端子１によれば、締結ボルト２７は、バッテリーポスト５１がポスト挿入孔２４ｃ、２５ｃに挿入され、かつ、締結部材支持部２６ｃに支持された状態で、少なくとも一部が軸方向に沿ってバッテリー筐体５２の上面から突出した位置に支持される。したがって、バッテリー端子１は、少なくとも締結ボルト２７の一部が軸方向に沿ってバッテリー筐体５２の上面から突出した状態で、締結ボルト２７の締め付け作業を完結することができるので、例えば、レンチ等の工具によって締結ボルト２７の頭部２７ｂを水平方向に沿って回転させる場合にも当該工具が他の部位に干渉することを抑制し、当該工具等を使った締結ボルト２７の締め込みを行いやすくすることができる。
【００５５】
［実施形態２］
図７、図８は、実施形態２に係るバッテリー端子の概略構成を表す斜視図である。図９は、実施形態２に係るバッテリー端子の概略構成を表す平面図である。図１０は、図９中のＬ３矢視図である。図１１、図１２は、図９中のＬ４矢視図である。なお、図７、図９、図１０は、バッテリー端子に加えてバッテリーの一部を含む図となっている。図１２は、バッテリー端子の動作を説明する図である。実施形態２に係るバッテリー端子は、保持部材の形状が実施形態１とは異なる。その他、上述した実施形態と共通する構成、作用、効果については、重複した説明はできるだけ省略する。
【００５６】
図７〜図１２に示す本実施形態のバッテリー端子２０１は、本体部２１と、スタッドボルト２２と、締付部２３とを備える。そして、締付部２３は、保持部材２２６と、第１締結部材としての締結ボルト２７と、第２締結部材としてのテーパナット２２８と、回転止め部２２９と、位置決め機構３０とを備える。
【００５７】
本実施形態の保持部材２２６は、上述の保持部材２６（図１等参照）と同様に、連結部２６ａ、環状部保持部２６ｂ、締結部材支持部２６ｃを有する一方、対向受け部２６ｅ（図５等参照）を有していない。本実施形態の保持部材２２６は、図１１等に示すように、連結部２６ａ、環状部保持部２６ｂ、及び、締結部材支持部２６ｃが一体となって、軸方向、及び、環状部幅方向と直交する方向から視て、全体として略Ｊ字型に形成される。保持部材２２６は、略Ｊ字型の内側に板状突出部２４ｅ、板状突出部２５ｅが挿入されるようにして環状部２４ａ、２５ａに組み付けられる。
【００５８】
また、本実施形態の締結部材支持部２６ｃは、連結部２６ａの環状部保持部２６ｂ側とは反対側の端部が延長された部分に形成された丸孔２２６ｄ（図９、図１１等参照）を含んで構成される。丸孔２２６ｄは、締結部材支持部２６ｃ（連結部２６ａの環状部保持部２６ｂ側とは反対側の端部が延長された部分）を軸方向に貫通して形成される。丸孔２２６ｄは、締結ボルト２７、又は、テーパナット２２８、ここでは、締結ボルト２７の軸部２７ａが軸方向に沿って挿入される。
【００５９】
さらに、本実施形態のテーパナット２２８は、上述のテーパナット２８（図２等参照）と同様に、第１テーパ面２８ａを有する一方、第２テーパ面２８ｂを有していない。
【００６０】
そして、本実施形態の回転止め部２２９は、上述の貫通孔２６ｆ（図２、図５等参照）にかえて、当接突起部２２６ｆを有する。当接突起部２２６ｆは、締結部材支持部２６ｃに設けられ、テーパナット２２８と当接して当該テーパナット２２８の軸方向周りの回転を規制する。より詳細には、当接突起部２２６ｆは、保持部材２２６の締結部材支持部２６ｃ側の端部において、環状部幅方向に沿った辺であって上述の切り欠き部２６ｇが形成された辺と対向する辺（板状突出部２４ｅの基端側の辺）から鉛直方向（軸方向）下側に突出するようにして形成される。
【００６１】
上記のように構成されるバッテリー端子２０１は、保持部材２２６が板状突出部２４ｅ、板状突出部２５ｅに組み付けられることで、本体部２１の上側分割体２４と下側分割体２５とが一体化される。そして、バッテリー端子２０１は、この状態で、締結ボルト２７が保持部材２２６の締結部材支持部２６ｃの丸孔２２６ｄに挿入され所定の位置に支持されると共に、テーパナット２２８が締結ボルト２７の軸部２７ａに螺合され、この状態で回転止め部２２９の当接突起部２２６ｆに当接する。そして、バッテリー端子２０１は、ポスト挿入孔２４ｃ、ポスト挿入孔２５ｃの内周面とバッテリーポスト５１の外周面とが接触した状態で、締結ボルト２７が鉛直方向（軸方向）上側から締め付けられることで、スリット２４ｄ、２５ｄを挟んで環状部２４ａ、２５ａの両側が接近方向に締め付けられ、これにより、バッテリーポスト５１に締結される。すなわち、バッテリー端子２０１は、図１２に示すように、締結ボルト２７の回転に伴ってテーパナット２２８が当該締結ボルト２７の頭部２７ｂ側に接近し、第１テーパ面２８ａによる押圧力によって、スリット２４ｄ、２５ｄの間隔が狭められる。これにより、バッテリー端子２０１は、ポスト挿入孔２４ｃ、ポスト挿入孔２５ｃの内周面とバッテリーポスト５１の外周面とが接触した状態でポスト挿入孔２４ｃ、ポスト挿入孔２５ｃの径が縮小され、バッテリーポスト５１に締結される。
【００６２】
以上で説明したバッテリー端子２０１は、締結ボルト２７とテーパナット２２８と回転止め部２２９と第１テーパ面２８ａとの作用によって、締結ボルト２７とテーパナット２２８との間に発生する締付力を、環状部２４ａ、２５ａを環状部幅方向に押圧する押圧力に変換することで、当該環状部２４ａ、２５ａをバッテリーポスト５１に締結することができる。このとき、バッテリー端子２０１は、締結ボルト２７を軸方向上側から締め付ける構成とした上で、当該締結ボルト２７を締め付けていく際に当該締結ボルト２７の軸方向の相対位置が変化しないようにすることができるので、当該締結ボルト２７の締め付け作業を行いやすい位置関係を維持することができ、バッテリーポスト５１に締結する際の作業性を向上することができる。
【００６３】
さらに、以上で説明したバッテリー端子２０１によれば、回転止め部２２９は、テーパナット２２８と当接して当該テーパナット２２８の軸方向周りの回転を規制する当接突起部２２６ｆを有し、締結部材支持部２６ｃは、締結ボルト２７が挿入される丸孔２２６ｄを含んで構成される。したがって、バッテリー端子２０１は、締結ボルト２７の回転に伴って第１テーパ面２８ａによる押圧力によって、環状部２４ａ、２５ａを環状部幅方向の片側から安定的に押圧しバッテリーポスト５１に締結することができる。
【００６４】
なお、図１３は、変形例に係るバッテリー端子の概略構成を表す斜視図である。図１４は、図１３中のＬ５矢視図である。
【００６５】
図１３、図１４に示す変形例に係るバッテリー端子３０１は、当接突起部２２６ｆ（図８等参照）を備えていない点で上述のバッテリー端子２０１とは異なる。バッテリー端子３０１が備える回転止め部３２９は、テーパナット２２８の第１テーパ面２８ａと接触する環状部２４ａ、２５ａの端部によって兼用される。より詳細には、ここでは、回転止め部３２９は、環状部幅方向における板状突出部２４ｅのテーパナット２２８側の端部によって兼用される。なお、このバッテリー端子３０１では、図１４に示すように、板状突出部２４ｅの環状部幅方向両端部が軸方向に沿って板状突出部２５ｅ側にＵ字型に折り返されていると共に、位置決め機構３０を構成する突起爪部３２５ｈが板状突出部２５ｅ側に形成されている。突起爪部３２５ｈは、板状突出部２５ｅの先端が鉛直方向（軸方向）上側に屈曲することで形成される。突起爪部３２５ｈは、スリット２５ｄで分割された一対の板状突出部２５ｅにそれぞれ１つずつ、合計２つが設けられる。
【００６６】
この場合であっても、バッテリー端子３０１は、締結ボルト２７とテーパナット２２８と回転止め部３２９と第１テーパ面２８ａとの作用によって、締結ボルト２７とテーパナット２２８との間に発生する締付力を、環状部２４ａ、２５ａを環状部幅方向に押圧する押圧力に変換することで、当該環状部２４ａ、２５ａをバッテリーポスト５１に締結することができ、バッテリーポスト５１に締結する際の作業性を向上することができる。
【００６７】
さらに、バッテリー端子３０１は、締結ボルト２７の回転に伴って第１テーパ面２８ａによる押圧力によって、環状部２４ａ、２５ａを環状部幅方向の片側から安定的に押圧しバッテリーポスト５１に締結することができる。また、バッテリー端子３０１は、回転止め部３２９が、テーパナット２２８の第１テーパ面２８ａと接触する環状部２４ａ、２５ａの端部によって兼用されるので、構成を簡略化することができる。
【００６８】
［実施形態３］
図１５は、実施形態３に係るバッテリー端子の概略構成を表す斜視図である。図１６は、実施形態３に係るバッテリー端子の概略構成を表す平面図である。図１７は、図１６中のＬ６矢視図である。図１８は、図１６中のＬ７矢視図である。実施形態３に係るバッテリー端子は、押え部を備える点で実施形態２とは異なる。その他、上述した実施形態と共通する構成、作用、効果については、重複した説明はできるだけ省略する。
【００６９】
図１５〜図１８に示す本実施形態のバッテリー端子４０１は、上述の実施形態２に係るバッテリー端子２０１と同様に、本体部２１と、スタッドボルト２２と、締付部２３とを備える。そして、本実施形態の締付部２３は、保持部材４２６と、第１締結部材としての締結ボルト２７と、第２締結部材としてのテーパナット２２８と、回転止め部２２９と、位置決め機構３０とを備えると共に、さらに、押え部４３１を備える。
【００７０】
本実施形態の保持部材４２６は、上述の保持部材２２６（図８等参照）と同様に、連結部２６ａ、環状部保持部２６ｂ、及び、締結部材支持部２６ｃが一体となって、軸方向、及び、環状部幅方向と直交する方向から視て、全体として略Ｊ字型に形成される。保持部材４２６は、保持部材２２６と同様に、略Ｊ字型の内側に板状突出部２４ｅ、板状突出部２５ｅが挿入されるようにして環状部２４ａ、２５ａに組み付けられる。締結部材支持部２６ｃは、保持部材２２６と同様に、連結部２６ａの環状部保持部２６ｂ側とは反対側の端部が延長された部分に形成された丸孔２２６ｄ（図１６等参照）を含んで構成される。また、本実施形態のテーパナット２２８は、上述の実施形態２に係るバッテリー端子２０１と同様に、第１テーパ面２８ａを有する一方、第２テーパ面２８ｂを有していない。また、回転止め部２２９は、上述の実施形態２に係るバッテリー端子２０１と同様に、当接突起部２２６ｆを有する。
【００７１】
そして、本実施形態の押え部４３１は、回転止め部２２９を構成する当接突起部２２６ｆと連接され、軸方向に対してテーパナット２２８を挟んで締結部材支持部２６ｃとは反対側で当該テーパナット２２８と対向する。ここでは、押え部４３１は、押え突起部４２６ｆを有する。
【００７２】
押え突起部４２６ｆは、当接突起部２２６ｆと連接され、軸方向に対してテーパナット２２８を挟んで締結部材支持部２６ｃとは反対側に位置し、当該テーパナット２２８と対向する。押え突起部４２６ｆは、上述の当接突起部２２６ｆと一体で形成される。より詳細には、押え突起部４２６ｆは、保持部材４２６の締結部材支持部２６ｃ側の端部において、鉛直方向（軸方向）下側に突出するようにして形成された当接突起部２２６ｆから短辺方向に沿って突出するようにして板状に形成される。つまり、押え突起部４２６ｆは、軸方向に対してテーパナット２２８を挟んで締結部材支持部２６ｃと対向すると共に、当接突起部２２６ｆによって締結部材支持部２６ｃと接続され一体化される。締結部材支持部２６ｃと押え突起部４２６ｆと当接突起部２２６ｆとは、図１７に示す側面視にて、略コの字型となるように一体で形成される。
【００７３】
なお、本実施形態のバッテリー端子４０１は、環状部２４ａ、２５ａ、ボルト保持部２４ｂ、２５ｂ、スリット２４ｄ、２５ｄ、板状突出部２４ｅ、２５ｅ、連結部２６ａ等の形状がバッテリー端子２０１とは若干異なっているが実質的な機能はほぼ同様である。また、本実施形態のバッテリー端子４０１は、突起爪部３２５ｈを備える点で、バッテリー端子２０１とは相違するが、当該突起爪部３２５ｈを含む位置決め機構３０、板状突出部２４ｅ、２５ｅ等の構成については、上述のバッテリー端子３０１と実質的にほぼ同様の構成となっている。
【００７４】
上記のように構成されるバッテリー端子４０１は、保持部材４２６が板状突出部２４ｅ、板状突出部２５ｅに組み付けられることで、本体部２１の上側分割体２４と下側分割体２５とが一体化される。そして、バッテリー端子４０１は、この状態で、締結ボルト２７が保持部材４２６の締結部材支持部２６ｃの丸孔２２６ｄに挿入され所定の位置に支持されると共に、テーパナット２２８が締結ボルト２７の軸部２７ａに螺合され、この状態で回転止め部２２９の当接突起部２２６ｆに当接する。そして、バッテリー端子４０１は、ポスト挿入孔２４ｃ、ポスト挿入孔２５ｃの内周面とバッテリーポスト５１の外周面とが接触した状態で、締結ボルト２７が鉛直方向（軸方向）上側から締め付けられることで、スリット２４ｄ、２５ｄを挟んで環状部２４ａ、２５ａの両側が接近方向に締め付けられ、これにより、バッテリーポスト５１に締結される。すなわち、バッテリー端子４０１は、締結ボルト２７の回転に伴ってテーパナット２２８が当該締結ボルト２７の頭部２７ｂ側に接近し、第１テーパ面２８ａによる押圧力によって、スリット２４ｄ、２５ｄの間隔が狭められる。これにより、バッテリー端子４０１は、ポスト挿入孔２４ｃ、ポスト挿入孔２５ｃの内周面とバッテリーポスト５１の外周面とが接触した状態でポスト挿入孔２４ｃ、ポスト挿入孔２５ｃの径が縮小され、バッテリーポスト５１に締結される。このとき、バッテリー端子４０１は、押え部４３１を構成する押え突起部４２６ｆがテーパナット２２８を挟んで締結部材支持部２６ｃとは反対側で当該テーパナット２２８と対向していることから、回転止め部２２９の当接突起部２２６ｆと押え突起部４２６ｆとによって、締結ボルト２７の回転に伴ったテーパナット２２８のぐらつきを押えることができる。また、バッテリー端子４０１は、押え部４３１を構成する押え突起部４２６ｆによって組み付け時にテーパナット２２８が落下してしまうこと等を抑制することができる。
【００７５】
以上で説明したバッテリー端子４０１は、締結ボルト２７とテーパナット２２８と回転止め部２２９と第１テーパ面２８ａとの作用によって、締結ボルト２７とテーパナット２２８との間に発生する締付力を、環状部２４ａ、２５ａを環状部幅方向に押圧する押圧力に変換することで、当該環状部２４ａ、２５ａをバッテリーポスト５１に締結することができる。このとき、バッテリー端子４０１は、締結ボルト２７を軸方向上側から締め付ける構成とした上で、当該締結ボルト２７を締め付けていく際に当該締結ボルト２７の軸方向の相対位置が変化しないようにすることができるので、当該締結ボルト２７の締め付け作業を行いやすい位置関係を維持することができ、バッテリーポスト５１に締結する際の作業性を向上することができる。
【００７６】
さらに、以上で説明したバッテリー端子４０１は、当接突起部２２６ｆと連接されテーパナット２２８を挟んで締結部材支持部２６ｃとは反対側で当該テーパナット２２８と対向する押え部４３１を備える。したがって、バッテリー端子４０１は、押え部４３１を構成する押え突起部４２６ｆがテーパナット２２８を挟んで締結部材支持部２６ｃとは反対側で当該テーパナット２２８と対向していることから、回転止め部２２９の当接突起部２２６ｆと押え突起部４２６ｆとによって、締結ボルト２７の回転に伴ってテーパナット２２８がぐらつくことを抑制することができる。この結果、バッテリー端子４０１は、締結ボルト２７を締め付ける際の締め付け効率を向上することができる。
【００７７】
なお、上述した本発明の実施形態に係るバッテリー端子は、上述した実施形態に限定されず、特許請求の範囲に記載された範囲で種々の変更が可能である。本実施形態に係るバッテリー端子は、以上で説明した各実施形態の構成要素を適宜組み合わせることで構成してもよい。
【００７８】
以上の説明では、バッテリー端子は、第１締結部材が締結ボルト２７、第２締結部材がテーパナット２８、２２８であるものとして説明したが、この逆に第１締結部材をナット、第２締結部材をボルトで構成し、当該ナット及び当該ボルトの軸部が締結部材支持部に支持され当該ボルトの頭部に第１テーパ面等が形成される構成であってもよい。
【００７９】
また、以上で説明した位置決め機構は、突起爪部が保持部材の連結部側に設けられ、切り欠き部が環状部側に設けられていてもよい。
【００８０】
また、以上で説明した保持部材は、環状部保持部、締結部材支持部、連結部等が一体で形成されるものとして説明したが、これに限らず、これらが分割して形成された後、一体的に組み付けられてもよい。
【符号の説明】
【００８１】
１、２０１、３０１、４０１    バッテリー端子
２１    本体部
２２    スタッドボルト
２３    締付部
２４    上側分割体
２４ａ、２５ａ    環状部
２４ｂ、２５ｂ    ボルト保持部
２４ｃ、２５ｃ    ポスト挿入孔
２４ｄ、２５ｄ    スリット
２４ｅ、２５ｅ    板状突出部
２４ｆ、２５ｆ    段付部
２４ｇ    ボルト挿入孔
２４ｈ、３２５ｈ    突起爪部
２５    下側分割体
２５ｇ    スライド孔
２６、２２６、４２６    保持部材
２６ａ    連結部
２６ｂ    環状部保持部
２６ｃ    締結部材支持部
２６ｄ    長孔
２６ｅ    対向受け部
２６ｆ    貫通孔
２６ｇ    切り欠き部
２７    締結ボルト（第１締結部材）
２７ａ    軸部
２７ｂ    頭部
２８、２２８    テーパナット（第２締結部材）
２８ａ    第１テーパ面
２８ｂ    第２テーパ面
２９、２２９、３２９    回転止め部
３０    位置決め機構
５１    バッテリーポスト
５２    バッテリー筐体
５５    ポスト立設面（上面）
５６    凹部
２２６ｄ    丸孔
２２６ｆ    当接突起部
４３１    押え部
４２６ｆ    押え突起部
Ｘ    中心軸線
【図１】
2015133308.tif 000003
【図２】
2015133308.tif 000004
【図３】
2015133308.tif 000005
【図４】
2015133308.tif 000006
【図５】
2015133308.tif 000007
【図６】
2015133308.tif 000008
【図７】
2015133308.tif 000009
【図８】
2015133308.tif 000010
【図９】
2015133308.tif 000011
【図１０】
2015133308.tif 000012
【図１１】
2015133308.tif 000013
【図１２】
2015133308.tif 000014
【図１３】
2015133308.tif 000015
【図１４】
2015133308.tif 000016
【図１５】
2015133308.tif 000017
【図１６】
2015133308.tif 000018
【図１７】
2015133308.tif 000019
【図１８】
2015133308.tif 000020